(57)【特許請求の範囲】
【請求項１】
同軸ケーブルに、ＬＡＮケーブル及び電話ケーブルを縦添えしたものを並設し、絶縁性の共通シースで略メガネ状に被覆した通信用複合ケーブルであって、
前記共通シースの一部を剥離するための第１及び第２ノッチを、前記同軸ケーブルの中心角７０°〜５０°の位置上の前記同軸ケーブル側の前記共通シースの第１部分に、ケーブル延長方向に沿って設け、
前記第１及び第２ノッチを、前記ＬＡＮケーブル及び電話ケーブルを縦添えしたものの反対側であって、前記同軸ケーブルの中心と、前記ＬＡＮケーブル及び電話ケーブルを縦添えしたものの横方向及び縦方向の中心とを結ぶ線に対して、等距離の位置に設け、
前記共通シースの一部を剥離するための第３及び第４ノッチを、前記ＬＡＮケーブル及び電話ケーブルを縦添えしたものの横方向及び縦方向の中心角７０°〜５０°の位置上の前記ＬＡＮケーブル及び電話ケーブルを縦添えしたものの側の前記共通シースの第２部分に、ケーブル延長方向に沿って設け、
前記第３及び第４ノッチを、前記同軸ケーブルの反対側であって、前記同軸ケーブルの中心と、前記ＬＡＮケーブル及び電話ケーブルを縦添えしたものの中心とを結ぶ線に対して、等距離の位置に設け、
前記共通シースの前記第１及び第２の部分を、肉薄部を有する連結部によって隔てて形成したことを特徴とする通信用複合ケーブル。
【請求項２】
前記電話ケーブルが、絶縁された芯線２本１組として絶縁外被でメガネ状に施されて構成され、かつ前記絶縁外被の連結部が、前記同軸ケーブルとＬＡＮケーブルの中心を結ぶ線上に位置することを特徴とする請求項１に記載の通信用複合ケーブル。
【請求項３】
前記共通シースの厚さが０．７ｍｍであって、前記第１〜第４ノッチの深さが０．３ｍｍであることを特徴とする請求項１あるいは２に記載の通信用複合ケーブル。
【発明の詳細な説明】
【技術分野】
【０００１】
本発明は、同軸ケーブル、ＬＡＮケーブル及び電話ケーブルを１つのケーブルとした通信用複合ケーブルに関する。
【背景技術】
【０００２】
従来から、建物へのＴＶ、インターネット、電話のサービス提供において、同軸ケーブル（ＴＶ）、ＬＡＮケーブル（インターネット）、電話ケーブル（電話）を配線するが、その配線は、バラ配線とするか又はこれらのケーブルを一括集合させた丸型ケーブルが使用されている。
【０００３】
バラ配線をした場合には、異なる種類のケーブルを一度に敷設する際、ケーブルがまとまっていないために作業性が非常によくない。
【０００４】
他方、丸型ケーブルを使用する場合、ＴＶとインターネット、電話とで施工業者が異なるため、ケーブル敷設後に、同軸ケーブル、ＬＡＮケーブル、電話ケーブルの分離作業に手間取り、ＴＶ、インターネット、電話の施工作業に速やかに取り掛かることができない等の問題があった。さらに、丸形ケーブルの末端処理をする際、引き裂き又はカッター等を使用して外被を除去し、さらに押え巻きテープを除去した後に、各ケーブルをそれぞれコネクタへ取り付ける作業を行っており、作業が極めて煩雑であった。
【０００５】
その他に、敷設作業時間を短縮すべく特許文献１、２に記載の所謂メガネ型ケーブルが提案されている。特許文献１に記載の発明「情報通信複合ケーブル」は、布設作業時間を短縮できるとともに、将来の増設に対応でき、且つ美観を損なわない情報通信複合ケーブルとして、外部導体（１）まで仕上げた同軸ケーブルコアー（２）とＬＡＮケーブル（３）、電話ケーブル（４）とを撚り合わせ又は並列に並べ、引き裂き紐（５）を縦添えしてなる複合ケーブル芯（Ａ）とを並設し、その上に共通シース（６）をメガネ状に施したことを特徴とする（請求項１）。また、同軸ケーブル（７）、ＬＡＮケーブル（３）、電話ケーブル（４）及びプラスチックパイプ（８）を撚り合わせ、その上に押さえテープ（９）を巻回し、その上に引き裂き紐（５）を縦添えし、さらにその上にシース（１０）を施したことを特徴とする（請求項２）。
【０００６】
また、特許文献２に記載の発明「複合ケーブル」は、ＵＴＰケーブル，ペアケーブルおよび同軸ケーブルからなる複合ケーブルにあって、各専用ケーブルを複合化してマルチメディア配線に対応させる際、ＵＴＰケーブルが側圧やしごきによる外力を受けることなく特性を維持でき、しかも複合化で大型サイズ化することなく既存サイズのケーブル敷設管に挿通させて用いることができるようにするため、外被であるシース４４の断面が眼鏡形状に成形され、その眼鏡形状の一側にＵＴＰケーブル２０にペアケーブル３０を巻き付けたものを収容し、他側は同軸ケーブル４０の外部導体である編組４３上に施されている。
【０００７】
さらに、同軸ケーブル、ＬＡＮケーブル、電話線の敷設作業時間の短縮及び敷設コストの削減が図れるとともに、ケーブルの端末処理作業を容易に行なうことができ、また、低圧屋内電力配線との隔壁の役割を持たせるために二重シース化した通信用複合ケーブルを提供することを目的として、特許文献３の発明が公開されている。
【０００８】
特許文献３に記載の発明「通信用複合ケーブル」は、第１に、ＬＡＮケーブルと電話線を縦添えしたものと、外被が施された同軸ケーブルとを並設し、その上に絶縁性の隔壁を構成する共通シースをメガネ状に施したことを特徴とする（請求項１）。第２に、前記ＬＡＮケーブル及び電話線上に施された前記共通シースの外周部、及び前記同軸ケーブル上に施された前記共通シースの外周部それぞれの２箇所に、引き裂き用の溝がケーブルの延長方向に沿って形成されていることを特徴とする（請求項２）。第３に、前記電話線は、絶縁された芯線が撚り合わされた２本の対撚り線上に共通シースがメガネ状に施されて構成されていることを特徴とする（請求項３）。
【０００９】
そして、特許文献３に記載の通信用複合ケーブルは、同文献請求項２及び図３に記載のように、ＬＡＮケーブル及び電話線上に施された共通シースの外周部、及び同軸ケーブル上に施された共通シースの外周部に、それぞれ２箇所、引き裂き内部ケーブルを引き出すための溝が通信用複合ケーブルの共通シースの延長方向に沿って形成され、引き裂性を向上させている。その結果、各ケーブル敷設時間の短縮、ケーブルの末端作業が簡易になるというものである。
【先行技術文献】
【特許文献】
【００１０】
【特許文献１】特開２００２−１３３９４９号公報
【特許文献２】特開２００３−４５２３７号公報
【特許文献３】特開２００９−１５８３０８号公報
【発明の概要】
【発明が解決しようとする課題】
【００１１】
特許文献３の図３に記載されているように、特許文献３に記載の発明の溝４２の位置は、同軸ケーブル側と電話線及びＬＡＮケーブル側とで形成されるメガネ状の共通シースの連結部の接続点（ブリッジ）と、前記両側の中心を結んだ線を挟んで、それぞれ対向した位置、即ち、前記接続点から９０°の位置で、かつそれぞれ１８０°の位置に、同軸ケーブル側の共通シースと電話線及びＬＡＮケーブル側の共通シースの両側に設けられている。
【００１２】
しかしながら、溝４２を特許文献３のそのような位置に配置しても、例えば、同軸ケーブル側の溝４２と溝４２の位置で同軸ケーブル側の共通シースの一部（反電話線及びＬＡＮケーブル側）を剥離する場合、前記共通シースの一部を摘むことは極めて困難であった。また、電話線及びＬＡＮケーブル側の溝４２、溝４２間を引き裂き剥離する場合も同様である。更に、共通シースの一部を引き裂くには相当の張力を要し、困難な作業であった。
【００１３】
そこで、本発明は、同軸ケーブル、ＬＡＮケーブル、電話ケーブルの敷設作業時間が短縮でき敷設コストの削減が図れるとともに、各ケーブルの端末処理作業を一層容易に行なうことができる通信用複合ケーブルを提供することを目的とする。
【課題を解決するための手段】
【００１４】
上記の課題を解決するために、本発明は、同軸ケーブルに、ＬＡＮケーブル及び電話ケーブルを縦添えしたものを並設し、絶縁性の共通シースで略メガネ状に被覆した通信用複合ケーブルであって、前記共通シースの一部を剥離するための第１及び第２ノッチを、前記同軸ケーブルの中心角７０°〜５０°の位置上の前記同軸ケーブル側の前記共通シースの第１部分に、ケーブル延長方向に沿って設け、前記第１及び第２ノッチを、前記ＬＡＮケーブル及び電話ケーブルを縦添えしたものの反対側であって、前記同軸ケーブルの中心と、前記ＬＡＮケーブル及び電話ケーブルを縦添えしたものの横方向及び縦方向の中心とを結ぶ線に対して、等距離の位置に設け、前記共通シースの一部を剥離するための第３及び第４ノッチを、前記ＬＡＮケーブル及び電話ケーブルを縦添えしたものの横方向及び縦方向の中心角７０°〜５０°の位置上の前記ＬＡＮケーブル及び電話ケーブルを縦添えしたものの側の前記共通シースの第２部分に、ケーブル延長方向に沿って設け、前記第３及び第４ノッチを、前記同軸ケーブルの反対側であって、前記同軸ケーブルの中心と、前記ＬＡＮケーブル及び電話ケーブルを縦添えしたものの中心とを結ぶ線に対して、等距離の位置に設け、前記共通シースの前記第１及び第２の部分を、肉薄部を有する連結部によって隔てて形成したことを特徴とする通信用複合ケーブルを提供するものである。
【００１８】
さらに、前記電話線ケーブルが、絶縁された芯線２本１組として絶縁外被でメガネ状に施されて構成され、かつ前記外被の連結部が、前記同軸ケーブルとＬＡＮケーブルの中心を結ぶ線上に位置することを特徴とする前記何れかに記載の通信用複合ケーブルの構成とした。
【００１９】
そして、前記共通シースの厚さが０．７ｍｍであって、前記第１〜第４ノッチの深さが０．３ｍｍであることを特徴とする前記何れかに記載の通信用複合ケーブルの構成とした。
【発明の効果】
【００２０】
本発明は、上記構成であるので、同軸ケーブル、ＬＡＮケーブル、電話ケーブルの敷設作業時間が短縮でき敷設コストの削減が図れる。さらに、各ケーブルの端末処理作業を一層容易に行なうことができる。即ち、低い張力で、共通シースの一部を剥離でき、容易に内部ケーブルを取り出すことでき、各コネクタとの接続が容易になる。
【図面の簡単な説明】
【００２１】
【図１】本発明である通信用複合ケーブルの一の実施形態の断面図である。
【図２】第２ノッチ部分の拡大断面図である。
【図３】共通シースのノッチの位置を変更したときの引き裂き張力を試験した結果である。
【発明を実施するための形態】
【００２２】
以下、添付図面を参照しながら、本発明である通信用複合ケーブルについて詳述する。
【実施例１】
【００２３】
図１に示すように、本発明の一実施形態である通信用複合ケーブル１は、同軸ケーブル２に、ＬＡＮケーブル３及び電話ケーブル４を縦添えしたものを並設し、絶縁性の共通シース５で略メガネ状に被覆してなる。
【００２４】
そして、共通シース５は、肉薄部５ｆを有する連結部５ｅを隔てて形成される。肉薄部５ｆは、同軸ケーブル２側とＬＡＮケーブル３及び電話ケーブル４側を引き裂き易くするために設けられる。
【００２５】
さらに、共通シース５には、同軸ケーブル２側の共通シース５の一部を剥離するための第１、第２ノッチ５ａ、５ｂが形成されている。第１、第２ノッチ５ａ、５ｂは、同軸ケーブル２の中心（Ｏ）角の６０°の位置上の同軸ケーブル２側の共通シース５に、ケーブル延長方向に沿って形成されている。第１、第２ノッチ５ａ、５ｂの配置位置は、中心（Ｏ）角７０°〜５０°の範囲であればよい。
【００２６】
そして、第１、第２ノッチ５ａ、５ｂは、ＬＡＮケーブル３及び電話ケーブル４を縦添えしたものの反対側に位置することが望ましい。さらに望ましくは、第１、第２ノッチ５ａ、５ｂを、同軸ケーブル２の中心（Ｏ）と、ＬＡＮケーブル３及び電話ケーブル４を縦添えしたものの横方向及び縦方向の中心（Ｐ）とを結ぶ線（図中一点鎖線）に対して、等距離の位置に設ける。同軸ケーブル２側の共通シース５の一部（第１ノッチ５ａ及び第２ノッチ５ｂ間であって、反ＬＡＮケーブル３及び電話ケーブル４側の共通シース５）の剥離張力が一層低下する。
【００２７】
同様に、共通シース５には、ＬＡＮケーブル３及び電話ケーブル４側の共通シース５の一部を剥離するための第３、第４ノッチ５ｃ、５ｄが形成されている。第３、第４ノッチ５ｃ、５ｄは、ＬＡＮケーブル３及び電話ケーブル４を縦添えしたものの横方向及び縦方向の中心（Ｐ）角６０°の位置上のＬＡＮケーブル３及び電話ケーブル４を縦添えしたもの側の共通シース５に、ケーブル延長方向に沿って形成されている。第３、第４ノッチ５ｃ、５ｄの配置位置は、中心（Ｏ）角７０°〜５０°の範囲であればよい。
【００２８】
そして、第３、第４ノッチ５ｃ、５ｄは、同軸ケーブル２の反対側に位置することが望ましい。さらに望ましくは、第３、第４ノッチ５ｃ、５ｄを、同軸ケーブル２の中心（Ｏ）と、ＬＡＮケーブル３及び電話ケーブル４を縦添えしたものの横方向及び縦方向の中心（Ｐ）とを結ぶ線（図中一点鎖線）に対して、等距離の位置に設ける。ＬＡＮケーブル３及び電話ケーブル４側の共通シース５の一部（第３ノッチ５ｃ及び第４ノッチ５ｄ間であって、反ＬＡＮケーブル３及び電話ケーブル４側の共通シース５）の剥離張力が一層低下する。
【００２９】
なお、ノッチの形状は、図１、２にあるように、Ｖ字型の他、Ｕ字型、スリットなど、形状は特に限定されないが、ノッチ先端部が尖った形状が引き裂き張力を一層低くすることができ望ましい。
【００３０】
同軸ケーブル２は、内部導体２ａを絶縁体２ｂで覆い、さらに銅などの線を編んだ網線或いはアルミ箔などの外部導体２ｃを捲き、その上から絶縁体の外被２ｄで覆われている。同軸ケーブル２は、一般に流通しているものを使用することができる。
【００３１】
ＬＡＮケーブル３は、導体の芯線３ａをポリエチレン等の樹脂で絶縁被覆３ｂした線心を２本（対撚線３ｄ）又は４本撚り合わせ、それを１対又は複数対束ねた上で、外側を絶縁外被３ｃで被覆する。周囲環境からケーブルへのノイズ侵入を抑制したり、ケーブルから放射されるノイズを抑制する場合には、さらにシールドを施すこともある。ＬＡＮケーブル３は、一般に流通しているものを使用することができる。
【００３２】
電話ケーブル４は、導体の芯線４ａを絶縁被覆４ｂして、さらに２本１組をメガネ状に外被４ｃで束ねられている。
【００３３】
そして、電話ケーブル４は、外被４ｃの連結部４ｄが、同軸ケーブル２とＬＡＮケーブル３の中心を結ぶ線上に位置することが望ましい。ＬＡＮケーブル３及び電話ケーブル４側の共通シース５を剥離する力が均等に共通シース５にかかり、張力を低下させることができる。
【００３４】
また、第１〜第４ノッチ５ａ〜５ｄは、図２に示すように、共通シース５の厚さ（Ｌ）を０．７ｍｍとした場合には、ノッチの深さ（Ｌ１）は０．３ｍｍとすると、張力が低く、流通段階での剥離がなく、安定して剥離作業をすることが可能である。
【実施例２】
【００３５】
図３は、共通シースのノッチの位置を変更したときの引き裂き張力を試験した結果である。縦軸は、引き裂き張力（Ｎ）、横軸は図１において、第１、第２ノッチ５ａ、５ｂの配置位置（中心（Ｏ）角）である。引き裂き時の張力（Ｎ）は、通信用複合ケーブルの一端を固定し、他端の第１ノッチと第２ノッチの間であって、反ＬＡＮケーブル３及び電話ケーブル４側の共通シース５に張力計（アイコーエンジニアリング株式会社製、型番：ＲＸ−１０）を引っ掛け、手で引き裂いたときの最大張力である。
【００３６】
試験の結果、中心角（幅）が狭い方が、張力は低く、特に中心角７０°〜５０°の範囲においては、第１、第２ノッチ５ａ、５ｂを対向した位置（中心角１８０°）に配置したときの１／２程度に低下し、極めて容易に共通シース５の一部を剥離することができた。
【００３７】
また、中心角（幅）が狭すぎると、第１、第２ノッチ５ａ、５ｂ間を指で掴むことが困難な上、共通シース５の一部が剥離の途中でちぎれてしまうことがあり剥離が困難であった。また、切り取られた共通シース５の間から、内部ケーブルを取り出すことも容易でなかった。
【００３８】
従って、第１、第２ノッチ５ａ、５ｂは、中心（Ｏ）角７０°〜５０°の範囲で、共通シース５に形成することが望ましい。同様に、第３、第４ノッチ５ｃ、５ｄも、中心（Ｐ）角７０°〜５０°の範囲で、共通シース５に形成することが望ましい。
【符号の説明】
【００３９】
１      通信用複合ケーブル
２      同軸ケーブル
２ａ    内部導体
２ｂ    絶縁体
２ｃ    外部導体
２ｄ    外被
３      ＬＡＮケーブル
３ａ    芯線
３ｂ    絶縁被覆
３ｃ    外被
３ｄ    対撚線
４      電話ケーブル
４ａ    芯線
４ｂ    絶縁被覆
４ｃ    外被
４ｄ    連結部
５      共通シース
５ａ    第１ノッチ
５ｂ    第２ノッチ
５ｃ    第３ノッチ
５ｄ    第４ノッチ
５ｅ    連結部
５ｆ    肉薄部
【図１】
0005609260.tif 000002
【図２】
0005609260.tif 000003
【図３】
0005609260.tif 000004